(57)【要約】自動火器（１１）で発射した散弾を計数するための装置（１２）は、排出窓を通して排出可能である薬莢を含む薬莢室を備え、薬莢室から排出され、かつ、使用された薬莢に相当するケーシングによって中断され、連続的な電磁信号を放出する第１の放出手段を備える。本発明の散弾計数装置（１２）は、排出窓を通して火器の薬莢室から排出されたケーシングの数をモニタすることができると共に、火器（１１）に取り付けられた弾倉（１３）内で残っている役に立つ散弾の相当数をディスプレイ画面上で表示することができる。
2006509180.tif 000002
【特許請求の範囲】
【請求項１】
排出窓を通して排出可能である薬莢を含む薬莢室を備える、火器（１１）によって発射された散弾を数えるための装置において、
前記薬莢室から排出され、かつ、前記発射した薬莢に相当するケーシングによって中断され、連続的な電磁信号を放出するために設けられた第１の放出手段（３１）を備えることを特徴とする計数装置（１２）。
【請求項２】
放出した前記電磁信号は、プログラム論理制御手段（３３）に接続し、順にディスプレイ画面（２１）に接続する第１の受信手段（３２）で受信される請求項１記載の計数装置。
【請求項３】
放出した前記電磁信号が、排出されたケーシングによって中断されるとき、前記プログラム論理手段（３３）の増分及び／又は減分は、少なくとも一つのユニット、スコアで、前記プログラム論理手段（３３）に記憶され、新しいスコア値が前記ディスプレイ画面（２１）上に表示可能である請求項２記載の計数装置。
【請求項４】
記憶された前記スコアは、火器（１１）によって発射した散弾の合計数に相当する請求項３記載の計数装置。
【請求項５】
記憶された前記スコアは、発射した散弾及び／又は前記火器（１１）に取り付けられた弾倉（１３）内で役に立つ散弾の総数の部分数に相当する請求項３記載の計数装置。
【請求項６】
前記プログラム論理手段（３３）に記憶された少なくとも一つの情報項目を選択するために設けられたデータ入力手段（３４）を含み、選択された情報の形式が前記ディスプレイ画面（２１）に視覚的に表示される請求項２記載の計数装置。
【請求項７】
前記データ入力手段（３４）は英数字のセットを含む請求項６記載の計数装置。
【請求項８】
前記データ入力手段（３４）は、関数及び／又は情報選択キーを含む請求項７記載の計数装置。
【請求項９】
前記電磁信号が赤外線信号である請求項１〜３の何れか１項に記載の計数装置。
【請求項１０】
前記ディスプレイ画面（２１）が、液晶、エレクトロルミネッセンス、プラズマ又は同種の画面である請求項２記載の計数装置。
【請求項１１】
前記火器（１１）の銃身上に配置され、前記ディスプレイ画面（２１）が前記火器（１１）を使用している使用者に向いている請求項１〜１０の何れか１項に記載の計数装置。
【請求項１２】
前記ディスプレイ画面２１の後方に配置されるレーザ照準装置を含む請求項１１記載の計数装置。
【請求項１３】
前記銃身との間で予め定められたスペースがあり、前記銃身の銃口上に配置された照準点を表示可能である請求項１１記載の計数装置。
【請求項１４】
電磁信号を介して接続する少なくとも２つの部品に分割され、前記火器（１１）による弾薬消費の遠隔制御が可能である請求項１〜１３の何れか１項に記載の計数装置。
【請求項１５】
前記電磁信号が無線信号である請求項１４記載の計数装置。
【発明の詳細な説明】
【技術分野】
【０００１】
本発明は、一般的に、火器によって発射した散弾を数えるための装置に関する。特に、本発明は、自動及び／又は半自動火器によって発射した散弾数を数える散弾計数器に関する。
【背景技術】
【０００２】
短銃又は拳銃などの火器の開発は、現在まで１２以上、例えば１８の薬莢を収容することができる容積を持つ弾倉に導かれている。特に、薬莢は、ケーシング、弾丸又は銃弾を備えている。
【０００３】
しかしながら、リボルバータイプの火器、すなわち、６つの薬莢を収容する標準的な能力のシリンダを有する火器において、発射され又は使用された薬莢の数をモニタすることは、精神的に比較的容易である。１８の薬莢を装填することができる弾倉が装備されている拳銃の場合、拳銃の薬莢室の一つに加えて、発射した散弾と、火器の弾倉の中で役に立つ薬莢の数をモニタすることは精神的に困難で複雑になることがある。拳銃の使用者は、事前の警告なしに最後の発射によって、拳銃のスライドがロックされるということに驚かされるかも知れない。
【発明の開示】
【発明が解決しようとする課題】
【０００４】
したがって、拳銃などの短銃に取り付けられ、与えられた瞬間で、発射した散弾の数や弾倉の中に残っている使用されていない薬莢の数を数えることができる装置を開発することが必要である。散弾計数装置は、弾倉内で役立つ薬莢の数を表示することも可能にする。
【課題を解決するための手段】
【０００５】
火器によって発射した散弾を計数するための装置は、排出窓を通して排出される薬莢を含む薬莢室を備えるものであって、薬莢室から排出され、使用された薬莢に対応するケーシングによって中断される方法で、連続的な電磁信号を放出する第１の放出手段を備える。
【０００６】
本発明の散弾計数装置は、排出窓を通して火器の薬莢室から排出されたケーシングの数をモニタし、火器に取り付けられた弾倉の中に残っている役に立つ散弾の相当数を表示画面で表示することを可能にする。
【０００７】
また、計数器は、薬莢室から排出されたケーシングの総計の蓄積されたスコアを保持し、火器から発射した散弾の合計数を表示可能であり、火器又は火器の一つ以上の部品の実用寿命を決定することを可能にする。
【０００８】
さらに、本発明の目的は、火器の使用者によって見られる画面上で示される情報データ
が見られることを保証することである。
【０００９】
さらに、本発明の計数器の目的は、特定の弾倉から発射した散弾の部分的スコアを保つことである。したがって、部分的弾倉計数器は、データ入力手段を駆動することによってゼロにセットされることができる。
【００１０】
本発明のさらに他の目的は、小サイズで低コストの軽量計数器を製造することである。
【００１１】
発明のより詳細な説明は、添付された図面に基づく以下の記載の中で与えられている。
【発明を実施するための最良の形態】
【００１２】
全自動及び／又は半自動火器によって発射した散弾を数えるための装置１２が、図１に示されている。発明の記述によれば、全自動及び／又は半自動火器は、例えば拳銃になるであろう。したがって、この種の火器１１は、銃身の穴である銃口の反対側に位置する薬莢室を有し、薬莢室に薬莢が配置され収容される。
【００１３】
薬莢室の一方の側には排出窓（図示せず）があり、この排出窓から拳銃１１の爆破ピンによって打たれた薬莢に相当するケーシングが排出される。すなわち、散弾が火器１１とともに爆破したとき、薬莢ケーシングが、所定の速度で、排出窓を介して薬莢室から排出される。同じように、薬莢室内にあり、打たれていない薬莢が、排出窓を介して薬莢室から取り除かれることがある。
【００１４】
図３は、赤外線などの電磁信号を放出するための第１の手段３１を備える計数装置１２のブロック図を示す。赤外線は、受信した赤外線信号の変化又は中断を検出可能である第１の受信手段３２で受信される。第１の受信器３２は、プログラム論理制御手段３３に接続され、プログラム論理制御手段３３は、火器１１によって発射した散弾数に関連付けられた情報データを視覚的に表示するために作られたディスプレイ画面に接続されている。
【００１５】
同様に、マイクロプロセッサなどのプログラミング手段に基づくプログラム論理制御手段３３は、垂直に上下動することによってデータが入力されるように、英数字及び関数キーボードを備えるデータ入力手段３４に接続されている。さらに、キーの数は、文字及び／又は関数に関係して変わることがある。
【００１６】
キーボード３４は、容易かつ迅速に、画面上で表示された情報を他の情報に手動で変えることを可能にする。すなわち、もし、最初の選択が、火器１１に取り付けられた弾倉に相当する散弾数を表示することであったならば、対応するキー３４を駆動することによって、火器１１によって発射した散弾数の合計を表示することができる。
【００１７】
散弾が発射されたとき、対応するケーシングが排出窓を通して排出され、ケーシングは第１の放出源３１から放出された連続赤外線信号を中断する。一旦、第１の受信器３２は、赤外線信号の瞬間的な欠如を検出し、受信した赤外線信号の中断に対応する電気的制御信号を生じる。火器１１によって発射した散弾数の点数だけでなく、兵器に取り付けられた弾倉を使って発射した散弾の数の点数のユニット毎の増分が、マイクロプセッサ３３に提供されている。
【００１８】
したがって、計数器の画面２１は、発射した散弾の合計数、今の弾倉１３に残っている散弾の数、現在の弾倉１３を使用して発射した散弾の数、その他の情報など、計数器の画面２１が示すことができる種々の情報項目の中から火器１１の使用者によって選択された情報を視覚的に表示することができる。この目的のため、兵器の使用者は、画面２１で見たいと思う情報の形式を、単にキーボード３４によって選択しなければならない。
【００１９】
計数器１２は、排出窓の上方で、火器１１の銃身の上側部分に配置されており、火器１１の使用者が、散弾を発射しようとするとき、ディスプレイ画面２１を見ることができるようになっている。すなわち、画面２１は使用者に対面している（図２参照）。また、第１の放出源３１と第１の受信器３２も配置されなければならず、薬莢室から排出されたときに、ケーシングが赤外線信号を中断するということが保証される。
【００２０】
さらに、画面２１は、火器１１の銃身の穴の軸からオフセットすることもある。すなわち、画面２１は銃身の垂直面上になく、例えばこの位置で、銃身１１には眼鏡照準具が取り付けられる。同じように、計数器１２は銃身から移動されなければならない。その結果、火器１１の使用者は、散弾が発射しているときに兵器の照準点を使用することができる。
【００２１】
計数器１２は、計数器１２の回路全てに電気エネルギを供給するバッテリ３５を備えている。バッテリ３５は小さいサイズであり、一つで１００００を超える作動時間を能力があるリチウムバッテリなどの長寿命タイプである。
【００２２】
可能な限りバッテリ３５の寿命を延ばすため、計数器１２は計数器１２をオンオフするスイッチ手段（図示せず）を持っている。火器１１が使われるとき、スイッチはオン位置にセットされ、兵器１１の使用が終わったとき、スイッチはオフ位置にセットされる。この条件で、マイクロプセッサ３３は、火器１１から発射された散弾の合計数などの記憶された情報を保ち続けるのに必要な最小の電気エネルギの供給を受け続ける。したがって、計数器１２は、マイクロプロセッサ３３とバッテリ３５に関係した回路を含んでいる。バッテリ３５は、計数器１２がオフ状態にあるときにマイクロプロセッサ３３に対して、電気エネルギの供給を保持する仕事を実行する。
【００２３】
ディスプレイ画面２１は、低消費電力を含む技術として、液晶ガラスＬＣＤ、エレクトロルミネッセント、プラズマや同種のものとすることができる。また、画面２１は、接触感知画面とすることもでき、このような場合に、データ入力手段３４のある関数が画面１２から実行されることができる。
【００２４】
さらに、計数器１２は、火器１１による弾薬の消費の遠隔制御を許容でき、計数器が２つのパーツに分割されるとき、一つは兵器１１に配置され、他の一つは火器１１から分離される。
【００２５】
計数器１２は、火器１１が目的物をねらうためのレーザ照準装置を含むこともできる。レーザ照準装置はディスプレイ画面２１の後方に配置される。
【００２６】
計数器１２の部品は、無線信号などの電磁信号を放出するための第２の手段を有する兵器１１に配置される。第２の放出源は、第１の受器機３２に接続されており、赤外線信号の中断が、計数器１２の分離部品に転送される無線信号に変換される。計数器は、無線で転送された信号を受け、それをマイクロコンピュータ３３に供給される電磁信号に変換する第２の受信手段を含んでいる。
【００２７】
明らかに、他の構成要素は、計数器１２から分離されることができ、例えば画面２１は、計数器１２から分離される。このような場合に、第２の放出源はマイクロコンピュータ３３から電気信号を受け、この電気信号が無線信号に変換される。無線信号は、それを画面に供給される信号に変換する第２の受信器に放出され、望んだ情報が表示される。
【００２８】
結果として、計数器１２のために実現された分離タイプを基準として、計数器１２の構成要素の予め決定された数が、火器１１に取り付けられる。明らかに、計数器１２のそれぞれの部品は、計数器１２の２つの部品が動作する事を可能にする電気エネルギを供給するバッテリを含んでいる。
【図面の簡単な説明】
【００２９】
【図１】本発明に係る計数装置の正面図を示す。
【図２】本発明に係る計数装置の側面図を示す。
【図３】本発明に係る計数装置のブロック図を示す。
【図１】
2006509180.tif 000003
【図２】
2006509180.tif 000004
【図３】
2006509180.tif 000005
【国際調査報告】
2006509180.tif 000006
2006509180.tif 000007
2006509180.tif 000008
2006509180.tif 000009